(57)【要約】【課題】制御監視ポイントのアドレス未入力を知らせることができる照明制御システムを提供する。【解決手段】１以上の照明器具８の光出力を制御する１以上のコントローラ７と、コントローラに通信回線４ａを介して接続されたＷＷＷサーバ４と、サーバにインターネット３を介して接続された端末装置２とを具備している。端末装置に表示された建屋内のレイアウト図上の任意の位置に、照明器具等の制御監視対象を特定するアドレスとその制御種別を定義した制御監視ポイントを配置することにより、その配置箇所に配設された制御対象を当該制御種別により制御すると共に、その被制御状態を監視する照明制御システムであって、ＷＷＷサーバは、制御対象のアドレスを示すアドレス一覧表を端末装置に表示するアドレス一覧表示手段を具備している。【選択図】  図１
2009266654.tif 000002
【特許請求の範囲】
【請求項１】
１以上の照明器具の光出力を制御する１以上のコントローラと；
コントローラに第１の通信回線を介して接続されたサーバと；
サーバに第２の通信回線を介して接続された端末装置と；
を具備し、端末装置に表示された建屋内のレイアウト図上の任意の位置に、照明器具等の制御監視対象を特定するアドレスとその制御種別を定義した制御監視ポイントを配置することにより、その配置箇所に配設された制御対象を当該制御種別により制御すると共に、その被制御状態を監視する照明制御システムであって、
サーバは、制御対象のアドレスを示すアドレス一覧表を端末装置に表示するアドレス一覧表示手段を具備していることを特徴とする照明制御システム。
【請求項２】
サーバは、端末装置に、制御監視ポイントに対応したアドレス一覧表を表示させ、このアドレス一覧表の任意のセルを、建屋内のレイアウト図上の任意の位置にドラッグアンドペーストさせることにより、アドレスと制御監視ポイントを入力させるアドレス等入力手段を、具備していることを特徴とする請求項１記載の照明制御システム。
【発明の詳細な説明】
【技術分野】
【０００１】
本発明は、照明器具の点，消灯や調光を端末装置により遠隔制御する一方、その制御状態を遠隔監視する照明制御システムに関する。
【背景技術】
【０００２】
従来、この種の照明制御システムの一例としては、下記特許文献１に記載されたものがある。この照明制御システムはＷＷＷサーバ装置にインターネットを介して接続された端末装置により、照明器具の点，消灯や調光等の現状を遠隔で監視し、制御するものである。
【０００３】
したがって、この照明制御システムによれば、インターネットに端末装置を接続し得る環境であれば、照明器具が配設される建屋以外の場所からも照明器具を遠隔で制御監視することができる。
【０００４】
そして、この照明制御システムでは、端末装置の表示部に表示された建屋内部等のレイアウト図の所定の照明エリア上に、照明器具の個別制御やグループ制御等の制御方法を特定した種々の制御監視ポイントであるアイコンを配置することにより、照明器具の位置と制御方法を特定している。
【特許文献１】特開平１１−２５１０７２号公報
【発明の開示】
【発明が解決しようとする課題】
【０００５】
しかしながら、このような従来の照明制御システムでは、端末装置により建屋等のレイアウト図上にアイコンを配置し設定するアイコン操作効率が低いという課題がある。
【０００６】
すなわち、従来、レイアウト図上にアイコンを配置する場合は、まず、図１１に示すように制御方法の相違等に基づいて複数あるアイコンを一覧表示するアイコンパレットＰを表示させ、この中から所要のアイコンを１個選択し、これを矢線で示すようにドラッグアンドペーストでレイアウト図Ｒの所要箇所上に１箇所ずつ貼り付け配置している。
【０００７】
このアイコンの貼り付け操作は、アイコン毎とレイアウト図上の配置箇所毎にアイコンパレットＰを一々開いて一つ一つ行うので、非常に作業効率が悪い。
【０００８】
また、所要の制御種別のアイコンを配置操作した後に、その属性の一部として制御対象の照明器具のアドレスを定義する操作が必要であるが、このアドレス定義（入力）操作を行わなかった場合でも、その定義忘れ（未割当）を知らせる手段も無いので、制御確認操作の段階までこのアドレス未入力（未割当）に気付かない場合がある。この場合は、アイコンを配置操作しても、照明器具が設定されるように特定できないために制御することができない。
【０００９】
また、アイコン配置後に初期値アドレスが定義されている場合は、アドレス未入力は自動的に初期値アドレスとなるので、所望の照明器具を制御監視できなくなるという課題がある。
【００１０】
本発明は、このような事情を考慮してなされたもので、その目的は、制御監視ポイントのアドレス未入力を知らせることができる照明制御システムを提供することにある。
【課題を解決するための手段】
【００１１】
請求項１に係る照明制御システムは、１以上の照明器具の光出力を制御する１以上のコントローラと；コントローラに第１の通信回線を介して接続されたサーバと；サーバに第２の通信回線を介して接続された端末装置と；を具備し、端末装置に表示された建屋内のレイアウト図上の任意の位置に、照明器具等の制御監視対象を特定するアドレスとその制御種別を定義した制御監視ポイントを配置することにより、その配置箇所に配設された制御対象を当該制御種別により制御すると共に、その被制御状態を監視する照明制御システムであって、サーバは、制御対象のアドレスを示すアドレス一覧表を端末装置に表示するアドレス一覧表示手段を具備していることを特徴とする。
【００１２】
ここで、第１，第２の通信回路は、例えばインターネットやイントラネット等のイーサネット（登録商標）電話回線等、どのような通信回線を用いてもよい。制御監視ポイントは照明器具等制御対象とその制御方法を特定すると共に、その制御対象の現状を監視するための監視対象を特定するものであり、例えば図形や記号等のアイコン等により表示される。
【００１３】
請求項２に係る照明制御システムは、サーバは、端末装置に、制御監視ポイントに対応したアドレス一覧表を表示させ、このアドレス一覧表の任意のセルを、建屋内のレイアウト図上の任意の位置にドラッグアンドペーストさせることにより、アドレスと制御監視ポイントを入力させるアドレス等入力手段を、具備していることを特徴とする。
【発明の効果】
【００１４】
請求項１に係る照明制御システムによれば、制御監視ポイントに定義（入力）される照明器具等制御対象のアドレスの一覧表が端末装置に表示されるので、制御監視ポイントへのアドレス未入力（未割当）を防止または低減することができる。
【００１５】
請求項２に係る照明制御システムによれば、端末装置に表示された制御監視ポイントの制御種別に対応したアドレス一覧表の所要のセルを、建屋内のレイアウト図の所要箇所上にドラッグアンドペーストすることにより、制御監視ポイントとアドレスをほぼ同時に入力することができる。このために、制御監視ポイントとアドレスの入力操作の作業性を向上させることができる。
【発明を実施するための最良の形態】
【００１６】
以下、本発明の実施形態を添付図面に基づいて説明する。なお、これら添付図面中、同一または相当部分には同一符号を付している。
【００１７】
図１は本発明の第１の実施形態に係る照明制御システム１の全体構成を示すブロック図である。
【００１８】
照明制御システム１は、クライアントである端末装置２をインターネット３を介してＷＷＷサーバ４に双方向データ通信可能に接続している。
【００１９】
ＷＷＷサーバ４は、専用の通信回線４ａにより所要の建屋５内に配設された照明システム６の信号線に双方向データ通信可能に接続されている。照明システム６は、建屋５内の階数毎等、所要の区域毎にそれぞれ配設された複数のコントローラ７，７，７，…と、所要の区域の照明エリア毎に配設された蛍光灯等複数の照明器具８，８，８，…と、これら照明器具８，８，…を所要の照明エリア毎に点，消灯制御（ＯＮ／ＯＦＦ）や調光制御をそれぞれ行なう複数の照明制御端末９，９，…と、所要の照明エリア毎に配設された人の有無をそれぞれ検出する複数の人感センサ１０，１０，…とを具備している。これら照明システム６の各コントローラ７、各照明器具８、人感センサ１０のアドレスは制御対象のアドレスとしてＷＷＷサーバ４の記憶装置に記録されている。
【００２０】
ＷＷＷサーバ４は、作図機能とグラフィック制御監視機能を有する。作図機能は、所要の建屋５内のレイアウト図を、クライアントである端末装置２のモニタ等の表示部に表示させると共に、この端末装置２によりレイアウト図上に、制御監視ポイントの一例であるアイコンを配置させる機能である。なお、制御監視ポイントは、図形、記号、文字、絵等のような態様であってもよい。
【００２１】
グラフィック制御監視機能は、このように端末装置２によりアイコンが配置操作されたときに、アイコンが配置された照明エリアに実際に配設された特定の照明器具８，８，８，…等制御対象のアドレスを特定し、さらにアイコンの種別からその制御方法、例えば点，消灯や調光等を特定し、これら特定の照明器具８，８，８，…を特定の制御方法により制御するための制御信号を専用通信回線４ａを介して建屋５内の照明システム６の特定のコントローラ７と照明制御端末９に与えて特定のアドレスの照明器具８，８，…を制御し、さらに、アイコンの種別や表示色等により、その制御状態等を監視させる機能である。
【００２２】
次に、端末装置２により所要のアイコンを建屋５内のレイアウト図の所要箇所上に配置操作した後に、このアイコンのアドレスを入力する方法を、図２〜図７に基づいて説明する。なお、図２〜図４中、黒小丸は個別回路のアイコンを示し、黒四角形は柱１１ａ、符号１１ｂは部屋内を仕切る仕切り壁、１１ｃはエレベータである。
【００２３】
まず、図２に示すように端末装置２のモニタ等の表示部２ａに、建屋５内の所要の区域（図２では例えば１１階）の所要の照明エリアのレイアウト図１１を表示させる。
【００２４】
次に、制御種別として設定されている個別回路、グループ等所要種別のアイコンを、レイアウト図１１の所要の照明エリアを示す空間上に配置し、このとき、アドレスが設定されていないことを示す、例えば「未割当」等の文字をアドレスとして自動的に入力してアイコンを設定する。
【００２５】
ここで個別回路とは、照明器具８を個別に制御する方法を示し、グループとは、予めグループとして設定されている複数の照明器具８，８，８，…をグループ毎に制御する方法を示す。また、パターン制御は、例えば社員の出勤時刻に照明器具８を点灯させ、退社時刻に消灯させる等のように、時刻等に応じて予め設定された照明器具８の制御パターンに応じて制御する方法である。
【００２６】
この後、図３に示すように、レイアウト図１１の所要の照明エリア上に配置されたアイコンＩ上に、図中白矢印で示すマウスカーソルを重ねるとアドレスが表示されるが、アドレスが未入力の場合は「未割当」となる。
【００２７】
次に、アイコンＩの設定後、このアイコンの記憶のために登録するが、そのアイコンＩのアドレスが未入力の場合は、図４に示すようにアドレスが未入力のアイコンが存在することを示すメッセージが表示される。
【００２８】
さらに、図５で示すアドレス一覧表１２が表示され、アドレス未入力の場合には、「未割当」が表示される。そして、このアドレス一覧表１２中の「未割当」のセルに所要のアドレスを入力することができる。
【００２９】
図６は、このようにしてアイコンＩのアドレスが全て入力されているときのアドレス一覧表１２を示す。これにより、アドレスの重複等を目視チェックすることができる。なお、図７はコントローラ一覧表１３であり、コントローラ１１のＩＰアドレスを示している。
【００３０】
次に、レイアウト図１１上に、所要のアイコンＩとアドレスをほぼ同時に設定する本発明の他の実施形態を説明する。
【００３１】
まず、図８に示すように端末装置２の表示部２ａに、建屋５内のレイアウト図１１を表示し、個別回路やグループ等の各種アイコンＩを配置するためのメニューを開く。
【００３２】
図９は、図８で示すメニューで、例えば個別回路がマウスカーソルにより選択されたときの表示部２ａの表示例を示し、ここでは、アドレス一覧表１２としてマトリクス表からなる個別回路用のアイコン・アドレス一覧表１４を表示したサブウインドが開く。
【００３３】
アイコン・アドレス一覧表１４は、その縦方向のセル列に照明器具８，８，…のアドレスを割当て、横方向のセル列に回路を割当てることにより、アイコンＩのアドレスを定義したマトリクス表からなる。
【００３４】
したがって、図９に示すように、このアイコン・アドレス一覧表１４の所定のセルを、図中白矢印で示すマウスカーソルにより選択し、これを矢線で示すようにレイアウト図１１上の所要の照明エリア上に、ドラッグアンドペーストで配置すると、その配置上に、例えば、個別回路の制御方法を示す黒小丸のアイコンが表示されると共に、そのアドレスが設定される。このアドレス設定後はアイコン・アドレス一覧表１４の当該セルに黒小丸のアイコンＩが表示され、既にアドレスが設定されていることを表示する。このため、既に設定されているアドレスを別の個別回路に設定しない、または意図的に同じアドレスを設定するという操作を視覚的に行うことができるため、設定操作が容易であり、設定ミスを防ぐことができる。また、この個別回路のアイコン・アドレス一覧表１４のタイトルバーの任意箇所をマウスカーソルによりクリックすると、グループとパターンのアイコン・アドレス一覧表１４が順次かつ繰返し表示される。これらグループとパターンのアイコンは個別回路のアイコンとは相違する図形や記号、色彩等により表示される。また、これらアイコン・アドレス一覧表１４では、既に配置したアイコンＩは、例えば青、これから配置するために選択したアイコンＩは例えば黄色で表示され、色別表示される。
【００３５】
次に、図１０に基づいて本発明の第３の実施形態に係るアイコンＩの配置方法について説明する。
【００３６】
この実施形態は、例えば従来例のように上記図１１で示すアイコンパレットＰから所要のアイコンＩを選択したときに、このアイコンＩの種別を保持（記憶）する点に特徴がある。
【００３７】
したがって、図１０に示すようにアイコンパレットＰ等から選択された所要のアイコンＩを、レイアウト図１１の所要の照明エリア、例えば丸１上に配置した後は、その同じ種別のアイコンＩを引き続き他の照明エリアの箇所丸２，丸３等に配置することができる。このために、アイコンＩの種別を選択する都度、また、アイコンＩをレイアウト図１１上に配置する都度、アイコンパレットＰを開く必要がないので、アイコンＩの配置操作効率の向上を図ることができる。
【００３８】
以上説明したように本発明によれば、制御監視ポイントに定義（入力）される照明器具等制御対象のアドレスの一覧表が端末装置２に表示されるので、制御監視ポイントへのアドレス未入力（未割合）を防止または低減することができる。
【００３９】
また、端末装置２に表示された制御監視ポイントの制御種別と制御対象のアドレスとを対応させたマトリクス表の所要のセルを、建屋内のレイアウト図の所要箇所にドラッグアンドペーストすることにより、制御監視ポイントとアドレスをほぼ同時に入力することができる。このために、制御監視ポイントとアドレスの入力操作の作業性を向上させることができる。
【図面の簡単な説明】
【００４０】
【図１】本発明の第１の実施形態に係る照明制御システムの構成を示すブロック図。
【図２】本発明の第１の実施形態に係る照明制御システムにおいて、建屋内のレイアウト図上にアイコンを配置するステップを示す端末装置の表示画面図の一例を示す図。
【図３】同配置後のアイコンに対して、アドレス未入力（未割当）のメッセージが表示されるステップにおける端末装置の表示画面の一例を示す図。
【図４】同アイコン配置後、アドレス未入力のアイコンが存在することを示すメッセージを表示するステップにおける端末装置の表示画面の一例を示す図。
【図５】同アドレス一覧表（未割当がある場合）が表示されたときの端末装置の表示画面の一例を示す図。
【図６】同アドレス一覧表（未割当がない場合）が表示されたときの端末装置の表示画面の一例を示す図。
【図７】同コントローラ一覧表が表示されたときの端末装置の表示画面の一例を示す図。
【図８】本発明の第２の実施形態において、アイコンを配置するためにメニューを開くステップにおける端末装置の表示画面の一例を示す図。
【図９】同アイコン・アドレス一覧表を表示したときの端末装置の表示画面の一例を示す図。
【図１０】本発明の第３の実施形態によりアイコンを配置する場合の端末装置の表示画面の一例を示す図。
【図１１】従来のアイコン配置方法を説明するための端末装置の表示画面の一例を示す図。
【符号の説明】
【００４１】
１…照明制御システム、２…端末装置、２ａ…モニタ、３…インターネット、４…ＷＷＷサーバ、５…建屋、７…コントローラ、８…照明器具、９…照明制御端末、１０…人感センサ、１１…レイアウト図、１２…アドレス一覧表、１４…アイコン・アドレス一覧表。
【図１】
2009266654.tif 000003
【図２】
2009266654.tif 000004
【図３】
2009266654.tif 000005
【図４】
2009266654.tif 000006
【図５】
2009266654.tif 000007
【図６】
2009266654.tif 000008
【図７】
2009266654.tif 000009
【図８】
2009266654.tif 000010
【図９】
2009266654.tif 000011
【図１０】
2009266654.tif 000012
【図１１】
2009266654.tif 000013